(57)【特許請求の範囲】
【請求項１】
電動機ケースからコードが引き出される部分にグロメットが嵌められ、前記電動機ケースの外側で前記グロメットの端部にグロメットカバーが被せられて前記電動機ケースにネジ締めで固定されている電動機において、
前記グロメットカバーにはその周囲に、前記グロメットの端部を包囲して前記電動機ケース側に突出する突出部が設けられ、
前記グロメットカバーをネジ締めで前記ケースに固定した際に前記グロメットカバーの突出部が前記電動機ケースに当たるように構成されている電動機。
【請求項２】
電動機ケース内にステータと電機子とが対向して組み込まれ、前記電機子を回転自在に支持する回転軸に整流子が取付けられ、該整流子は前記電機子の巻線に接続され、前記電動機ケースにブラシプレートが支持され、前記ブラシプレートに支持されたブラシが前記整流子に接触され、前記ブラシに接続されたコードが前記電動機ケースから引き出される部分にグロメットが嵌められ、前記電動機ケースの外側で前記グロメットの端部にグロメットカバーが被せられて前記電動機ケースにネジ締めで固定されているブラシ付き直流電動機において、
前記グロメットカバーにはその周囲に、前記グロメットの端部を包囲して前記電動機ケース側に突出する突出部が設けられ、
前記グロメットカバーをネジ締めで前記ケースに固定した際に前記グロメットカバーの突出部が前記電動機ケースに当たるように構成されているブラシ付き直流電動機。
【請求項３】
電動機ケースからコードが引き出される部分にグロメットが嵌められ、前記電動機ケースの外側で前記グロメットの端部にグロメットカバーが被せられて前記電動機ケースにネジ締めで固定されている電動機において、
前記電動機ケースには、その外側に突出する前記グロメットの端部の周囲を包囲する突出部が設けられ、
前記グロメットカバーは前記突出部に対向する大きさとなっていて、前記グロメットカバーをネジ締めで前記ケースに固定した際に前記グロメットカバーが前記電動機ケースの突出部に当たるように構成されている電動機。
【請求項４】
電動機ケース内にステータと電機子とが対向して組み込まれ、前記電機子を回転自在に支持する回転軸に整流子が取付けられ、該整流子は前記電機子の巻線に接続され、前記電動機ケースにブラシプレートが支持され、前記ブラシプレートに支持されたブラシが前記整流子に接触され、前記ブラシに接続されたコードが前記電動機ケースから引き出される部分にグロメットが嵌められ、前記電動機ケースの外側で前記グロメットの端部にグロメットカバーが被せられて前記電動機ケースにネジ締めで固定されているブラシ付き直流電動機において、
前記電動機ケースには、その外側に突出する前記グロメットの端部の周囲を包囲する突出部が設けられ、
前記グロメットカバーは前記突出部に対向する大きさとなっていて、前記グロメットカバーをネジ締めで前記ケースに固定した際に前記グロメットカバーが前記電動機ケースの突出部に当たるように構成されているブラシ付き直流電動機。
【発明の詳細な説明】
【０００１】
【発明の属する技術分野】
本発明は、電動機ケースからコードが引き出される部分の防水性を必要とする電動機及びブラシ付き直流電動機に関するものである。
【０００２】
【従来の技術】
図４〜図６は従来のこの種の電動機の一種であるブラシ付き直流電動機の構造を示したものである。この電動機は、回転軸１の外周に支持された鉄心２に巻線３が施されて形成されている電機子４と、該電機子４に対向する永久磁石５をステータヨーク６の内周に支持しているステータ７と、回転軸１の外周に支持されている整流子８と、ステータヨーク６の端部をＯリング９を介して閉塞するフランジ板１０の内面に支持されたブラシプレート１１と、該ブラシプレート１１のブラシ保持筒部１１ａに支持されて整流子８に接触しているブラシ１２と、該ブラシ１２に図示しないピグテール等を介して接続されているコード１３がフランジ板１１を貫通する部分でフランジ板１１とコード１３との間を水密に保持しているグロメット１４と、フランジ板１０の外側でグロメット１４の端部のフランジ部１４ａに被せられてフランジ板１１に図示しないネジで締められて固定されているグロメットカバー１５とを備えた構造になっていた。
【０００３】
この場合、回転軸１はステータヨーク６とフランジ板１１に支持された軸受１６ａ，１６ｂで回転自在に支持されている。ステータヨーク６とフランジ板１０とで電動機ケース１７が構成されている。グロメット１４の先端にはコード１３が貫通する部分を包囲する環状凸部１４ｂが突設され、この環状凸部１４ｂを嵌め込む孔１８がグロメットカバー１５に設けられている。また、グロメットカバー１５には、グロメット１４のフランジ部１４ａを貫通する図示しないネジを通すネジ通し孔１９が設けられている。フランジ板１０で回転軸１を貫通させている部分で軸受１６ｂの外側には、該軸受１６ｂのオイルの外部流出を防止するオイルシール２０が配置されている。
【０００４】
【発明が解決しようとする課題】
このような電動機では、電動機ケース１７からのコード１３の導出部分での防水性を確実にするために、グロメットカバー１５を図示しないネジで締め付ける際に、グロメット１４の端部のフランジ部１４ａを押し潰していたので、該グロメット１４の端部がいくらでも押し潰されてしまい、防水性が損なわれてしまう問題点があった。
【０００５】
本発明の目的は、グロメットの端部の押し潰し量の管理を容易に行える電動機及びブラシ付き直流電動機を提供することにある。
【０００６】
【課題を解決するための手段】
本発明は、電動機ケースからコードが引き出される部分にグロメットが嵌められ、電動機ケースの外側でグロメットの端部にグロメットカバーが被せられて電動機ケースにネジ締めで固定されている電動機に係わるものである。
【０００７】
本発明に係る電動機では、グロメットカバーにはその周囲に、前記グロメットの端部を包囲して電動機ケース側に突出する突出部が設けられ、グロメットカバーをネジ締めで電動機ケースに固定した際にグロメットカバーの突出部が電動機ケースに当たるように構成されている。
【０００８】
また本発明に係る電動機では、電動機ケースにはその外側に突出するグロメットの端部の周囲を包囲する突出部が設けられている。グロメットカバーは突出部に対向する大きさとなっており、グロメットカバーをネジ締めで電動機ケースに固定した際にグロメットカバーが電動機ケースの突出部に当たるように構成されている。
【０００９】
次に本発明は、電動機ケース内にステータと電機子とが対向して組み込まれ、電機子を回転自在に支持する回転軸に整流子が取付けられ、該整流子は電機子の巻線に接続され、電動機ケースにブラシプレートが支持され、ブラシプレートに支持されたブラシが整流子に接触され、ブラシに接続されたコードが電動機ケースから引き出される部分にグロメットが嵌められ、電動機ケースの外側でグロメットの端部にグロメットカバーが被せられて電動機ケースにネジ締めで固定されているブラシ付き直流電動機に係わるものである。
【００１０】
本発明に係るブラシ付き直流電動機では、グロメットカバーにはその周囲に、グロメットの端部を包囲して電動機ケース側に突出する突出部が設けられ、グロメットカバーをネジ締めで電動機ケースに固定した際にグロメットカバーの突出部が電動機ケースに当たるように構成されている。
【００１１】
また本発明に係るブラシ付き直流電動機では、電動機ケースに、その外側に突出するグロメットの端部の周囲を包囲する突出部が設けられる。グロメットカバーは突出部に対向する大きさとなっていて、グロメットカバーをネジ締めで電動機ケースに固定した際にグロメットカバーが電動機ケースの突出部に当たるように構成されている。
【００１２】
このような電動機及びブラシ付き直流電動機では、グロメットカバーをネジで締め付けていくと、グロメットカバーの突出部が電動機ケースに当たるか、或いはグロメットカバーが電動機ケースの突出部に当たり、それ以上締められなくなるため、グロメットの端部の押し潰し量の管理を容易に行うことができる。また、突出部をグロメットの端部の周囲に設けると、グロメットカバーの片締めを防止することができる。
【００１３】
【発明の実施の形態】
図１及び図２は本発明に係る電動機をブラシ付き直流電動機に適用した第１例を示したもので、図１は本例の電動機の要部断面図、図２は本例で用いているグロメットカバーの斜視図である。なお、前述した図４〜図６と対応する部分には、同一符号を付けて示している。
【００１４】
本例のブラシ付き直流電動機では、グロメットカバー１５にはその周囲に、グロメット１４の端部のフランジ部１４ａを連続して包囲して電動機ケース１７側に突出する突出部２１が設けられている。この突出部２１の高さＤは、グロメット１４の端部のフランジ部１４ａを所定の範囲で押し潰せるように、グロメット１４の端部のフランジ部１４ａの肉厚より短く設定されている。
【００１５】
このような電動機では、グロメットカバー１５をネジで締め付けていくと、グロメットカバー１５の突出部２１が電動機ケース１７の一部を構成しているフランジ板１０に当たり、それ以上締められなくなり、グロメット１４の端部のフランジ部１４ａの押し潰し量の管理を容易に行うことができる。また、突出部２１をグロメット１４の端部のフランジ部１４ａの周囲に設けると、図示しないネジでグロメットカバー１５を締める際に、突出部２１がフランジ板１０に一様に当たるようにすると、グロメットカバー１５の片締めを防止することができる。
【００１６】
図３は本発明に係る電動機をブラシ付き直流電動機に適用した第２例を示した要部断面図である。なお、前述した図１〜図２及び図４〜図６と対応する部分には、同一符号を付けて示している。
【００１７】
本例のブラシ付き直流電動機では、電動機ケース１７の一部を構成しているフランジ板１０には、その外側に突出するグロメット１４のフランジ部１４ａの周囲を連続して包囲する突出部２１が設けられている。グロメットカバー１５は、突出部２１に対向する大きさとなっている。
【００１８】
このような電動機では、グロメットカバー１５をネジで締め付けていくと、グロメットカバー１５が電動機ケース１７の突出部２１に当たり、それ以上締められなくなり、グロメット１４の端部のフランジ部１４ａの押し潰し量の管理を容易に行うことができる。また、突出部２１をグロメット１４の端部のフランジ部１４ａの周囲に設けると、図示しないネジでグロメットカバー１５を締める際に、グロメットカバー１５が突出部２１に一様に当たるようにすると、グロメットカバー１５の片締めを防止することができる。
【００１９】
上記の第１例及び第２例では、突出部２１を連続的に設けたが、この突出部２１はグロメット１４の端部のフランジ部１４ａの周囲にほぼ等間隔で間欠的に設けてもよい。
【００２０】
上記各例では、本発明をブラシ付き直流電動機に適用したが、本発明はこれに限定されるものではなく、電動機ケース１７からコード１３を引き出す際に防水性が要求される総ての電動機に適用できるものである。
【００２１】
【発明の効果】
本発明に係る電動機及びブラシ付き直流電動機では、グロメットカバーに、グロメットの端部を包囲して電動機ケース側に突出する突出部を設けるか、或いは電動機ケースに、該ケースの外側に突出したグロメットの端部の周囲を包囲する突出部を設け、グロメットカバーは突出部に対向する大きさとして、グロメットカバーをネジで締め付けた際にグロメットカバーの突出部が電動機ケースに当たるか、或いはグロメットカバーが電動機ケースの突出部に当たって、それ以上締められなくなるようにしたので、グロメットの端部の押し潰し量の管理を容易に行うことができる。また、突出部をグロメットの端部の周囲に設けると、グロメットカバーの片締めを防止することができる。
【図面の簡単な説明】
【図１】  本発明に係る電動機をブラシ付き直流電動機に適用した第１例を示した要部断面図である。
【図２】  第１例で用いているグロメットカバーの斜視図である。
【図３】  本発明に係る電動機をブラシ付き直流電動機に適用した第２例を示した要部断面図である。
【図４】  従来のブラシ付き直流電動機の縦断面図である。
【図５】  従来のブラシ付き直流電動機でコードが電動機ケースを貫通する部分の断面図である。
【図６】  図５で用いているグロメットカバーの斜視図である。
【符号の説明】
１  回転軸
２  鉄心
３  巻線
４  電機子
５  永久磁石
６  ステータヨーク
７  ステータ
８  整流子
９  Ｏリング
１０  フランジ板
１１  ブラシプレート
１１ａ  ブラシ保持筒部
１２  ブラシ
１３  コード
１４  グロメット
１４ａ  グロメットの端部のフランジ部
１４ｂ  環状凸部
１５  グロメットカバー
１６ａ，１６ｂ  軸受
１７  電動機ケース
１８  孔
１９  ネジ通し孔
２０  オイルシール
２１  突出部
【図１】
0003873670.tif 000002
【図２】
0003873670.tif 000003
【図３】
0003873670.tif 000004
【図４】
0003873670.tif 000005
【図５】
0003873670.tif 000006
【図６】
0003873670.tif 000007